(57)【要約】      （修正有）【課題】買い物で、手荷物として重いものを楽に労力もなく持ち運びができる買い物袋。【解決手段】土台の下には小型の移動用のキャスタ3（自由に向き変動ができる物）を３〜４個、取り付け、土台の上に巾着袋2、台車1より袋2を取り外しまた取り付けも簡単に出来るようにし、買い物をこの袋2に入れ口に取り付けた紐で口を閉じる。土台の中央の側面には買い物を入れた袋2を固定するためのマジックバンド4を取り付けた。【選択図】図１
2010279660.tif 000002
【特許請求の範囲】
【請求項１】
本発明品はショツピング用に携帯ができるもので、運搬用の台車をコンパクトにした形体で、台の上に弾力性の布で出来た買い物を入れる袋、口を開きやすい巾着袋の底の両サイドを台の上に固定金具で固定し、買い物を固定するためのマジックバンドを取り付けたものを特徴とするショツピング携帯車。
【請求項２】
本発明品は台の下に３〜４個のキャスターを取り付け、台を引き移動するための折り畳めるコの字型のハンドルを取りつけたものを特徴とする。
ショツピング携帯車。
【請求項３】
本発明品は請求項１で説明の台の上の巾着袋を台車の固定金具に固定して、台車と袋を取り外し、袋の中に台車を入れて買い物袋として常に携帯ができ、袋のみ洗濯も出来ることを特徴としたショツピング携帯車。
【発明の詳細な説明】
【技術分野】
【０００１】本発明品は主にスーパーマァケツトでの日常の買い物用に使用する発明品で、特徴はコンパクトで軽く手提げ袋などに入れて携帯し何時でも必要に応じて使用できる。又図３のように台車を袋の中に入れ余りの部分を物入れとしても利用できる発明品。
【背景の技術】
【０００２】手荷物運搬用のものは現在各市場で販売されているが、発明品のように手提げ袋に入れ常に携帯ができ、発明品事態を物入れとして利用出来、台車と袋を取り外して袋のみ洗濯もできる。発明品は従来にない貴重品である。
【発明の関係】
【０００３】本発明品は日常のショツピングで、自宅からお店まで徒歩で行ける範囲の買い物で、手荷物としては重いものをこの発明品を利用することで楽に労力もなく持ち運びができるので高齢化の時代には貴重な発明品で、販売の促進にはかなりの貢献となる。
【課題を解決する為の手段】
【０００４】本発明品は土台を軽金属又は合成樹脂を材料として、土台の下には小型の移動用のキャスタ（自由に向き変動ができる物）を３〜４個、取り付け、土台の上に巾着袋、コストも安価で口も広く使い易いものとして取り付け、取り付けの方法は台車の両サイドに図２の袋固定金具で、台車より袋を取り外しまた取り付けも簡単に出来るようにし、買い物をこの袋に入れ口に取り付けた紐で口を閉じる
土台の中央の側面には買い物を入れた袋を固定するためのマジックバンドを取り付けた。
【発明の効果】
【０００５】本発明品は主に日常の食品の買い物用のもので、常に手提げ袋として携帯ができ、重い買い物でもこの発明品があれば楽に持ち運びができることは店の販売促進となり経済効果は大である。
【発明を実施するための最良の形態】
【０００６】本発明品はコンパクトで台車の幅約２０ｃｍ×長さ３０ｃｍで普通の手提げ袋のサイズのものであり、台車の上に袋をのせ、袋の底の部分を台車に固定金具で固定し、袋の中に買い物を入れる。買い物でも特に重い米などを発明品を利用することで楽に運ぶことができるので利用価値は非常に大である。
【実施例】
【０００７】本発明品は常に携帯して買い物に事参する為、軽くてコンパクトで利用方法も袋の中に台車を入れて、手提げ買い物袋として利用もできるので一石二鳥の価値があり、又柄の長さは約６０ｃｍで真中より折り畳み、台車ごと袋の底に納まるように発明した。
【産業上の利用価値】
【０００８】本発明品により、ご婦人及びお年寄りの方には日常の食材を楽に運ぶことができので、買い控えもなくお店にとっては販売増進に繋がり経済効果はきはめて大である。
【図面の簡単な説明】  本発明の本体図
本発明の本体図とハンドル
本発明の台車を入れた袋図
【符号の説明】
【０００１０】１  台車
２  買い物袋
３  キャスター
４  固定マジックバンド
５  折畳ハンドル
６  袋固定金具
７  袋固定金具の座金と蝶ネジ
８  袋口閉じ紐
９  手提げ取手
【図１】
2010279660.tif 000003
【図２】
2010279660.tif 000004
【図３】
2010279660.tif 000005
【手続補正書】
【提出日】平成21年8月3日(2009.8.3)
【手続補正１】
【補正対象書類名】明細書
【補正対象項目名】全文
【補正方法】変更
【補正の内容】
【発明の詳細な説明】
【技術分野】
【０００１】本発明品は主にスーパーマァケツトでの日常の買い物用に使用する発明品で、特徴はコンパクトで軽く手提げ袋などに入れて携帯し何時でも必要に応じて使用できる。又図３のように台車を袋の中に入れ余りの部分を物入れとしても利用できる発明品。
【背景の技術】
【０００２】手荷物運搬用のものは現在各市場で販売されているが、発明品のように手提げ袋に入れ常に携帯ができ、発明品事態を物入れとして利用出来、台車と袋を取り外して袋のみ洗濯もできる。発明品は従来にない貴重品である。
【発明の関係】
【０００３】本発明品は日常のショツピングで、自宅からお店まで徒歩で行ける範囲の買い物で、手荷物としては重いものをこの発明品を利用することで楽に労力もなく持ち運びができるので高齢化の時代には貴重な発明品で、販売の促進にはかなりの貢献となる。
【課題を解決する為の手段】
【０００４】本発明品は土台を軽金属又は合成樹脂を材料として、土台の下には小型の移動用のキャスタ（自由に向き変動ができる物）を３〜４個、取り付け、土台の上に巾着袋、コストも安価で口も広く使い易いものとして取り付け、取り付けの方法は台車の両サイドに図２の袋固定金具で、台車より袋を取り外しまた取り付けも簡単に出来るようにし、買い物をこの袋に入れ口に取り付けた紐で口を閉じる
土台の中央の側面には買い物を入れた袋を固定する為のマジックバンドを取り付けた。
【発明の効果】
【０００５】本発明品は主に日常の食品の買い物用のもので、常に手提げ袋の中に携帯ができ、重い買い物でもこの発明品があれば楽に持ち運びができることは店の販売促進となり経済効果は大である。
【発明を実施するための最良の形態】
【０００６】本発明品はコンパクトで台車の幅約２０ｃｍ×長さ３０ｃｍで、普通の手提げ袋のサイズの物を台車の上に乗せ、袋の底の部分を台車の固定金具で固定し、袋の中に買い物を入れる。買い物でも特に重い物米などは発明品を利用することで楽に運ぶことができるので利用価値は非常に大である。
【実施例】
【０００７】本発明品は常に携帯して買い物に持参する為、軽くてコンパクトで利用方法も袋の中に台車を入れて、手提げ買い物袋として利用もできるので一石二鳥の価値があり、又ハンドル（柄）の長さは６０〜７０ｃｍで折畳み、台車ごと袋の中に納まるように発明した。
【産業上の利用価値】
【０００８】本発明品により、ご婦人及びお年寄りの方には日常の食材を楽に運ぶことが出来るので、買い控えもなくお店にとつても販売増進に繋がり経済効果はきはめて大である。
【図面の簡単な説明】
【０００９】
【図１】本発明品の本体斜視図とハンドル
【図２】本発明品の本体図と固定金具
【図３】本発明品の台車を入れた袋図
【符号の説明】
【００１０】１    台車
２    買い物袋
３    キャスター
４    固定マジックバンド
５    折畳ハンドル
６    袋固定金具
７    袋固定金具と座金と蝶ネジ
８    袋口閉じ紐
９    手提げ取手